(57)【要約】【課題】携帯型ゲーム機の外部拡張コネクタの損傷の可能性を小さくし、また、プレーヤによるコネクタの抜き差しの手間を省く。【解決手段】充電スタンド１０は、本体部１２の上面１１に携帯型ゲーム機を配置し、その背面に設けられた外部拡張コネクタと、本体部背面に形成された接続部２４のコネクタ本体５０とが接続し、外部拡張コネクタに電力を供給する。充電スタンド１０は、本体部１２のそれぞれ側面に形成され、携帯型ゲーム機の側壁と対向する側面突起１６と、正面側のそれぞれの隅部に形成され、携帯型ゲーム機の正面側隅面と対向する前面突起１８とを備え、側面突起、前面突起および接続部により携帯型ゲーム機の位置を画定させる。前面突起を正面方向にスライド可能にし、スライドさせた状態で、前面突起を背面方向もとの位置に復帰するように、前面突起を背面方向に付勢する移動機構３２が設けられる。【選択図】    図１
2004313449.tif 000002
【特許請求の範囲】
【請求項１】
本体部の上面に携帯型ゲーム機を配置し、かつ、携帯型ゲーム機の背面に設けられた外部拡張コネクタと、本体部の背面側に本体部から突出するように形成された接続部に配置されたコネクタとが接続し、前記外部拡張コネクタに、電力を供給する携帯型ゲーム機用の充電スタンドであって、
前記本体部の正面側のそれぞれの隅部に形成された、配置された携帯型ゲーム機の正面側隅面と対向する前面突起を備え、前面突起および接続部により、配置された携帯型ゲーム機の位置を画定させ、さらに、
前記前面突起を、正面方向にスライド可能にするとともに、前記スライドさせた状態で、当該前面突起を背面方向もとの位置に復帰するように、前記前面突起を、背面方向に付勢する移動機構を備えたことを特徴とする充電スタンド。
【請求項２】
さらに、前記本体部のそれぞれ側面に形成された、配置された携帯型ゲーム機の側壁と対向する側面突起を備え、前面突起、接続部および側面突起により、配置された携帯型ゲーム機の位置が画定されることを特徴とする請求項１に記載の充電スタンド。
【請求項３】
前記移動機構が、前面突起とそれぞれ連結され、正面方向にそれぞれ延びる第１のアームと、第１のアームを相互に連結する連結部と、前記第１のアームのそれぞれの所定の位置からほぼ垂直に延びる、弾性を有する第２のアームであって、その先端の位置が、本体部と相対移動しないようになった第２のアームとを有し、
前記前面突起が、正面方向にスライドされたときに、前記第２のアームに生じた復元力により、前記前面突起が背面方向に付勢されることを特徴とする請求項１または２に記載の充電スタンド。
【請求項４】
前記移動機構が、前記第１のアームのそれぞれのほぼ中央を連結する補強連結部を備え、
前記第２のアームが、連結部と補強連結部の間に配置されることを特徴とする請求項３に記載の充電スタンド。
【請求項５】
前記第２のアームの先端に穴が形成され、当該穴に、本体部に設けられた垂直な柱が挿入されたことを特徴とする請求項３または４に記載の充電スタンド。
【請求項６】
前記接続部が、前記コネクタを収容するコネクタ部を有し、当該コネクタ部が、充電スタンドに配置された携帯型ゲーム機の背面とほぼ平行な軸を中心に所定の範囲で回動可能であり、かつ、外部からの力が加えられない場合に、もとの位置に復帰するように付勢されたことを特徴とする請求項１ないし５の何れか一項に記載の充電スタンド。
【請求項７】
前記コネクタ部が、その内部にコネクタを収容するとともに、側面の所定の位置に前記軸に対応する突起を有する回動部と、
前記突起を収容する凹部を有し、当該凹部にて前記回動部を支持する支持部とを有し、
前記回動部が、少なくともその上面に、正面側或いは背面側の一端から、他端に向けて延びる円弧上の弾性部材を有し、
前記弾性部材が所定の位置に突起を有し、突起の先端が前記接続部の内壁に接し、かつ回動部が前記突起を中心に回動するのにしたがって、前記接続部の内壁により突起が押下げられることにより、当該弾性部材に復元力が生じるように構成されたことを特徴とする請求項６に記載の充電スタンド。
【請求項８】
前記回動部が、その下面に、正面側或いは背面側の一端から、他端に向けて延びる円弧上の弾性部材を有することを特徴とする請求項７に記載の充電スタンド。
【請求項９】
前記回動部が、先端側に配置された、断面形状が円弧状の規制部材を有し、前記回動部が所定の角度だけ回動した場合に、前記規制部材の先端が、接続部の内部に当接し、回動部が、それ以上回動することができないように構成されたことを特徴とする請求項７または８に記載の充電スタンド。
【請求項１０】
さらに、前記コネクタ部が、正面／背面方向に移動可能であり、かつ、外部からの力が加えられない場合に、もとの位置に復帰するように付勢されたことを特徴とする請求項６ないし９の何れか一項に記載の充電スタンド。
【請求項１１】
前記コネクタ部が、その内部にコネクタを収容するとともに、回動中心をなす軸を有する回動部と、
前記回動部の両側面に形成され、前記軸をそれぞれ通る弾性部材と、各弾性部材の両端を支持する支持柱を立設した支持部とを有し、前記弾性部材により、前記回動部が浮遊した状態で保持され、
前記弾性部材により、前記回動部が、正面／背面方向に移動可能であることを特徴とする請求項６に記載の充電スタンド。
【請求項１２】
前記回動部の軸と弾性部材とが一体に形成されたことを特徴とする請求項１１に記載の充電スタンド。
【請求項１３】
前記携帯型ゲーム機の外部拡張コネクタが、供給電力入力信号線の端子と、他の用途のための信号線の端子とを含み、
前記充電スタンドが、前記外部拡張コネクタと接続されたコネクタから、前記供給電力入力線と、他の用途のための信号線とを分離させる基板と、
前記他の用途のための信号線と接続された他の端子と、
前記供給電力入力線と接続された電源コネクタとを備えたことを特徴とする請求項１ないし１２の何れか一項に記載の充電スタンド。
【請求項１４】
前記他の用途の信号線が、音声出力信号線であり、前記充電スタンドが、前記音声出力信号線と接続された音声用端子を備えたことを特徴とする請求項１３に記載の充電スタンド。
【発明の詳細な説明】
【０００１】
【発明の属する技術分野】
本発明は、ゲーム機に装着する充電スタンドに関する。
【０００２】
【従来の技術】
携帯型ゲーム機の普及により、プレーヤは室内だけでなく、屋外でもゲームプレイが可能となっている。屋外での利用では、外部からの電力供給を受けることができないため、従来の携帯型ゲーム機では、乾電池を収容し、乾電池から電力供給を受けていた。しかしながら、携帯型ゲーム機の高性能化に伴って、その消費電力は大きくなり、乾電池による動作可能時間が短くなってきている。また、乾電池の消費および廃棄という環境問題も無視することができない。
【０００３】
そこで、特許文献１や特許文献２には、充電器を兼用した携帯型ゲーム機用のアタッチメントが開示されている
【０００４】
これらに開示された技術においては、携帯ゲーム機の底面に設けられた電池ボックスに、直接、充電池および充電池に電力を供給する充電器を装着するような構成となっている。これにより、乾電池を使うことなく、プレーヤはゲームを楽しむことができる。
【０００５】
しかしながら、上記技術においては、電池ボックスの蓋を取り外した状態で、充電池および充電器が装着されるため、これら機器の取り外しが面倒であるという問題点がある。
【０００６】
その一方、最新の携帯型ゲーム機では、充電池を内蔵し、外部拡張コネクタを介して、ＡＣアダプタから供給される電力により、充電池に充電できるように構成しているものもある。たとえば、ゲームボーイアドバンスＳＰ（登録商標）では、ヒンジを介して開くことができる表示部および本体部のうち、本体部の背面に外部拡張コネクタが設けられ、ここに、ＡＣアダプタからのケーブルに接続されたコネクタが挿入されるようになっている。
【０００７】
【特許文献１】特開２００２−２１０２４１号公報
【特許文献２】特開２００１−６７５３号公報
【０００８】
【発明が解決しようとする課題】
ＡＣアダプタのコネクタが挿入された状態で、携帯型ゲーム機を作動させて、ゲームプレイすることも可能である。しかしながら、持ち出しの際には、プレーヤが手で、本体部の背面からコネクタを引き抜く必要がある。充電のたびに、コネクタの挿入や引き抜きを繰り返すことにより、プレーヤが誤って、携帯用ゲーム機背面の外部拡張コネクタの向きと、ＡＣアダプタ側のコネクタの向きとを整合させずに差し込んでしまう場合や、ＡＣアダプタ側のコネクタを背面方向にまっすぐ引き抜かない場合があり、これにより、外部拡張コネクタに損傷が生じる場合がある。
【０００９】
また、上記ゲームボーイアドバンスＳＰ（登録商標）をはじめ、昨今の携帯型ゲーム機においては、昨日の豊富化に伴って、外部拡張コネクタを複数用途のために兼用するものもある。一方の用途のために外部拡張コネクタを利用すると、他の用途には利用できなくなり、プレーヤが不便を感じる場合もある。
【００１０】
本発明は、携帯型ゲーム機の外部拡張コネクタの損傷の可能性を小さくし、また、プレーヤによるコネクタの抜き差しの手間を省くことができる充電用スタンドを提供することを目的とする。
また、本発明は、複数用途の外部拡張コネクタを、同時に複数用途に利用できるような充電用スタンドを提供することを他の目的とする。
【００１１】
【課題を解決するための手段】
本発明の目的は、本体部の上面に携帯型ゲーム機を配置し、かつ、携帯型ゲーム機の背面に設けられた外部拡張コネクタと、本体部の背面側に本体部から突出するように形成された接続部に配置されたコネクタとが接続し、前記外部拡張コネクタに、電力を供給する携帯型ゲーム機用の充電スタンドであって、前記本体部の正面側のそれぞれの隅部に形成された、配置された携帯型ゲーム機の正面側隅面と対向する前面突起を備え、前記前面突起および接続部により、配置された携帯型ゲーム機の位置を画定させ、さらに、前記前面突起を、正面方向にスライド可能にするとともに、前記スライドさせた状態で、当該前面突起を背面方向もとの位置に復帰するように、前記前面突起を、背面方向に付勢する移動機構を備えたことを特徴とする充電スタンドにより達成される。
【００１２】
本発明によれば、プレーヤは、携帯型ゲーム機の正面隅部を、充電スタンドの前面突起に当てるような状態で、正面側に押し込み、前面突起をスライドさせ、携帯型ゲーム機の底面を、充電スタンドの本体部の上面に接しさせ、上記押し込み力を弱めれば、前面突起が背面側に徐々にスライドし、外部拡張コネクタが、適切な向きで、充電スタンドのコネクタに接続される。したがって、簡単な操作で、コネクタを損傷させることなく、携帯型ゲーム機を充電スタンドに装着することが可能となる。
【００１３】
好ましい実施態様においては、さらに、前記本体部のそれぞれ側面に形成された、配置された携帯型ゲーム機の側壁と対向する側面突起を備え、前面突起、接続部および側面突起により、配置された携帯型ゲーム機の位置が画定される。
【００１４】
好ましい実施態様においては、前記移動機構が、前面突起とそれぞれ連結され、正面方向にそれぞれ延びる第１のアームと、第１のアームを相互に連結する連結部と、前記第１のアームのそれぞれの所定の位置からほぼ垂直に延びる、弾性を有する第２のアームであって、その先端の位置が、本体部と相対移動しないようになった第２のアームとを有し、前記前面突起が、正面方向にスライドされたときに、前記第２のアームに生じた復元力により、前記前面突起が背面方向に付勢される。たとえば、移動機構は、プラスチック材料で一体成形することができる。
【００１５】
より好ましい実施態様においては、前記移動機構が、前記第１のアームのそれぞれのほぼ中央を連結する補強連結部を備え、前記第２のアームが、連結部と補強連結部の間に配置される。さらに、前記第２のアームの先端に穴が形成され、当該穴に、本体部に設けられた垂直な柱が挿入されるのが望ましい。
【００１６】
また、別の好ましい実施態様においては、接続部が、前記コネクタを収容するコネクタ部を有し、当該コネクタ部が、充電スタンドに配置された携帯型ゲーム機の背面とほぼ平行な軸を中心に所定の範囲で回動可能であり、かつ、外部からの力が加えられない場合に、もとの位置に復帰するように付勢されている。
【００１７】
これにより、携帯型ゲーム機に無理な力が加えられたときでも、コネクタ部が回動することで、携帯型ゲーム機の外部拡張コネクタの損傷を防止することができる。また、携帯型ゲーム機の取り外しの際に、その正面側を持ち上げるように、携帯型ゲーム機を傾斜させて、正面方向に引き抜くことにより、コネクタ部ｍ上記傾斜にともなって回動するため、携帯型ゲーム機を簡単かつ適切に取り外すことが可能となる。
【００１８】
より好ましい実施態様においては、コネクタ部が、その内部にコネクタを収容するとともに、側面の所定の位置に前記軸に対応する突起を有する回動部と、前記突起を収容する凹部を有し、当該凹部にて前記回動部を支持する支持部とを有し、前記回動部が、少なくともその上面に、正面側或いは背面側の一端から、他端に向けて延びる円弧上の弾性部材を有し、前記弾性部材が所定の位置に突起を有し、突起の先端が前記接続部の内壁に接し、かつ回動部が前記突起を中心に回動するのにしたがって、前記接続部の内壁により突起が押下げられることにより、当該弾性部材に復元力が生じるように構成されている。
より好ましくは、前記回動部が、その下面に、正面側或いは背面側の一端から、他端に向けて延びる円弧上の弾性部材を有する。
【００１９】
さらに、前記回動部が、先端側に配置された、断面形状が円弧状の規制部材を有し、前記回動部が所定の角度だけ回動した場合に、前記規制部材の先端が、接続部の内部に当接し、回動部が、それ以上回動することができないように構成されているのが望ましい。
【００２０】
また、前記コネクタ部が、正面／背面方向に移動可能であり、かつ、外部からの力が加えられない場合に、もとの位置に復帰するように付勢されていても良い。これにより、正面／背面方向に、携帯型ゲーム機に無理な力が加えられたときにも、外部拡張コネクタなどの損傷を防止することが可能となる。
【００２１】
別の好ましい実施態様においては、前記コネクタ部が、その内部にコネクタを収容するとともに、回動中心をなす軸を有する回動部と、前記回動部の両側面に形成され、前記軸をそれぞれ通る弾性部材と、各弾性部材の両端を支持する支持柱を立設した支持部とを有し、前記弾性部材により、前記回動部が浮遊した状態で保持され、前記弾性部材により、前記回動部が、正面／背面方向に移動可能に構成される。上記実施態様において、前記回動部の軸と弾性部材とが一体に形成されていても良い。
【００２２】
また、本発明の他の目的は、携帯型ゲーム機の外部拡張コネクタが、供給電力入力信号線の端子と、他の用途のための信号線の端子とを含む場合に、前記充電スタンドが、前記外部拡張コネクタと接続されたコネクタから、前記供給電力入力線と、他の用途のための信号線とを分離させる基板と、前記他の用途のための信号線と接続された他の端子と、前記供給電力入力線と接続された電源コネクタとを備えることにより達成される。
【００２３】
たとえば、前記他の用途の信号線が、音声出力信号線であり、前記充電スタンドは、前記音声出力信号線と接続された音声用端子を備えている。
【００２４】
【発明の実施の形態】
以下、添付図面を参照して、本発明の実施の形態について説明する。図１および図２は、それぞれ、本発明の実施の形態にかかる充電スタンドの外観を示す正面斜視図および背面斜視図である。図１に示すように、充電スタンド１０は、その上面１１に携帯型ゲーム機を載置できるようになっている。
【００２５】
図３ないし図５は、それぞれ、本実施の形態にかかる充電スタンドの平面図、底面図および側面図である。図１ないし図５に示すように、充電スタンド１０は、その上面１３のサイズが携帯型ゲーム機の底面とほぼ等しい本体部１２と、本体部１２を所定の角度でわずかに傾斜させるように、本体部１２の底面中央付近から背面方向に延びる支持部１４とを有する。
【００２６】
たとえば、本体部１２の上部および後述する接続部２４は、プレスチック材料で一体に成形され、また、本体部の下部および支持部１４も、プラスチック材料で一体に成形される。これらが、充電スタンドの上部および下部を構成し、ネジなどの取り付け手段、或いは、それぞれの接続部に設けられたラッチなどにより取り付けられる。
【００２７】
本体部１２の両側面には、上面１１に載置された携帯型ゲーム機の横方向の動きを規制する側面突起１６、１６が設けられている。側面突起１６のそれぞれの内壁が、携帯型ゲーム機の側面と対向して、その移動を規制するようになっている。また、本体部１２の前側隅部には、携帯型ゲーム機の縦方向（正面／背面方向）の動きを規制する前面突起１８、１８が設けられる。前面突起１８は、後述するように背面方向に付勢され、かつ、正面方向に移動することができる。前面突起１８は、断面形状がＬ形であり、ほぼ直角に連なる内壁にて、携帯型ゲーム機の側面および前面に対向し、携帯型ゲーム機の動きを規制することができる。
【００２８】
本体部１２の正面には凹部２０が設けられる。凹部２０は、ゲームプレーヤ（以下、単に「プレーヤ」と称する）が、携帯型ゲーム機に、充電スタンド１０を取り付け、或いは、携帯型ゲーム機を、充電スタンド１０から取り外すときに利用することができる。
【００２９】
図６は、前面突起を正面／背面方向に移動させる移動機構をより詳細に示す図である。移動機構３２は、たとえば、プラスチック材料で形成され、本体部１２の内部に収容される。図６に示すように、移動機構３２はフレーム３４を備えている。フレーム３４は、正面／背面方向にそれぞれ平行に延びる第１のアーム３６、３６と、背面側にて第１のアーム３６、３６を連結する連結部３８と、第１のアーム３６のそれぞれのほぼ中央部にて、これらを連結する補強連結部４０とを有する。さらに、連結部３８と補強連結部４０との間に、第１のアーム３６からほぼ垂直方向にそれぞれ延びる、第２のアーム４２が設けられている。補強連結部４０の上部には、長手方向に沿ってリブ４４が形成されている。また、第２のアーム４２のそれぞれの先端には、穴４６が設けられ、本体部１２の上面から垂直にそれぞれ延びる、柱部４８、４８が、当該穴に挿入されるようになっている。さらに、第１のアーム３６の正面方向先端には、前面突起１８が配置される。本実施の形態においては、移動機構３２および前面突起１８が一体に成形されている。
【００３０】
本実施の形態において、移動機構３２は、プラスチック材料で一体に成形され、第２のアーム３６は弾性を有している。しかしながら、移動機構３２は、第２のアーム３６を除き、比較的剛性を有しているのが望ましい。
【００３１】
図４および図５に示すように、支持部１４は、本体部１２をわずかに傾斜させるように、背面に向かって徐々に高さを増すように構成された支持台２２と、本体部１２の背面側に、本体部１２の上面１１から突出するように形成された接続部２４とを有している。
【００３２】
接続部２４には、後述するように回動可能なコネクタ部２６が配置されている。コネクタ２６の先端は、接続部２４の正面側端部から突出し、携帯型ゲーム機を充電スタンド１０の上面１１に装着した際に、携帯型ゲーム機の外部拡張コネクタの孔に挿入できるようになっている。さらに、接続部２４の背面側には、ヘッドフォン端子２８と、電源ケーブルと接続される電源コネクタ３０とが設けられている。
【００３３】
図７は、接続部２４のコネクタ部２６の構造をより詳細に示す部分断面図である。図７に示すように、コネクタ部２６は、コネクタ本体５０と、コネクタ本体を保持するとともに、後述するように回動する回動部５２と、回動部５２を支持する支持部５４とを有する。回動部や支持部５４はプラスチック材料で形成することができる。
【００３４】
コネクタ本体５０の先端部には、携帯型ゲーム機の外部拡張コネクタの端子群と接触する端子群が配置され、後端部からは、端子群のそれぞれに接続されたリード線（図示せず）が延びる。リード線は、接続部２４の下方に配置された基板５３に達する。
【００３５】
本実施の形態において、回動部５２は、コネクタ本体５０を包み込むように固定している。また、回動部５２の両側部には、突起５６が形成され、支持部５４の両側面に立設された壁５５の頂部に形成された凹部に係合して、当該突起５６に軸に、図７の矢印方向に回動できるようになっている。
【００３６】
さらに、回動部５２の上面の側壁のそれぞれに連なるように、ほぼ半円形上の弾性部材５８、５８が形成されている。下面の側壁にも、同様の弾性部材５９、５９が形成される。弾性部材５８、５９は、コネクタ本体５０の先端側、つまり、端子群が配置される側から延びて、ほぼ半円系を描き、コネクタ本体５０の後端側に接しないように終端するような形状を有する。また、弾性部材５８、５９の頂部には、ほぼ垂直方向に突起６０が形成される。突起６０は、接続部２４の頂部内壁に形成された、２つの三角形の頂点が接するような断面形状を有する接触部材６２の面に接する。また、回動部５２のほぼ先端には、端壁とほぼ連なり上下方向に円弧状にのびる回動規制部材６２が形成される。
【００３７】
支持部５４は、たとえば、本体部１２の背面側端部の内側に形成された挿入孔６６に、その先端が差し込まれることにより、位置が固定される。支持部５４の下方には、基盤５２が配置され、支持部５４から下方に延びる柱６７、６８と、本体部１２の下面から上方に延びる支持柱６９、７０とにより、その位置が固定される。
【００３８】
このように構成された充電スタンド１０の使用について、以下の詳細に説明する。前述したように、本実施の形態においては、充電スタンド１０の本体部１２に上面１１に、携帯型ゲーム機を配置する。この際に、プレーヤは、携帯型ゲーム機の正面側を背面側より低くした状態で、正面側の隅面を、前面突起の内面に当接させる。その状態で、プレーヤは、携帯型ゲーム機を正面側に押し出す。前面突起１８は、携帯型ゲーム機の正面側隅面と当接している。したがって、図８に示すように、その押し出しにともなって、フレーム３４から延びる第２のアーム４２が撓みつつ、移動機構３２が正面側にスライドする。なお、第２のアーム４２は、その位置を復元させるような復元力が働いているため、この状態において、移動機構３２は、前面突起１８が正面方向に突出した状態から、元の状態に戻るように付勢される。
【００３９】
この状態で、プレーヤが、図１１における空想線に示すように、携帯型ゲーム機Ｇの背面側の位置を正面側と一致させるように降ろして、その底面全体を、本体部１２の上面１１に接触させ、正面方向の押し出し力を弱めると、第２のアーム４２の復元力により、携帯型ゲーム機は背面方向（図１１の矢印Ｃ方向）にスライドし、携帯型ゲーム機の背面に配置された外部拡張コネクタと、接続部２４のコネクタ本体５０とが連結される。前面突起１８が元の位置に達した状態で、携帯型ゲーム機は、正面側隅部を前面突起１８に、側面を側面突起１６に、背面側を接続部２４により動きを規制され、コネクタが連結された状態で、充電スタンド１０に取り付けられる。
【００４０】
携帯型ゲーム機の外部拡張コネクタには、電源ケーブルから供給される電力が、電源コネクタ３０、基板５３、リード線、コネクタ５０を介して供給される。したがって、プレーヤは、図１２に示すように、携帯型ゲーム機Ｇの表示部を引き上げた状態で、携帯型ゲーム機内に収容された充電池に充電させつつ、ゲームを楽しむことができる。また、充電スタンド１０を充電用の置き台として利用しても良いことはいうまでもない。
【００４１】
さらに、本実施の形態においては、携帯型ゲーム機の外部拡張コネクタは、ヘッドフォン端子と充電用端子とを兼用している。したがって、ＡＣアダプタから電源ケーブルを介して、直接、外部拡張端子に電力を供給すると、ヘッドフォンを利用することができない。これに対して、本実施の形態においては、基板において、電源供給用の端子の信号線を電源コネクタ３０と接続し、音声の信号線をヘッドフォン端子２８と接続している。これにより、充電中であっても、プレーヤはヘッドフォンを利用して、外部に音声を漏らすことなくゲームを楽しむことが可能となる。
【００４２】
次に、携帯型ゲーム機の充電スタンド１０からの取り外しについて説明する。プレーヤは、本体部１２の正面側に形成された凹部２０に指先などを入れて、図１３に示すように、携帯型ゲーム機を上方に（矢印Ｄ方向）押し上げる。これにより、携帯型ゲーム機が傾斜し、正面側が、背面側より高い状態になる。携帯用ゲームの傾斜に伴って、図９に示すように、回動部５２は、突起６０を軸に矢印Ａ方向に回動する。弾性部材５８の頂部に形成された突起６０は接触部材６２の面に沿って移動するが、徐々に下方に押し込められる。これにより、弾性部材５８には復元力が生じる。また、円弧状の回動規制部材６４の上側先端が、接触部材６２の端壁に当接すると、回動部５２の回転は規制され、それ以上の角度に傾斜させることができなくなる。携帯型ゲーム機が傾斜され、それに伴って上記回動規制部材６４の先端が接触部材６２の端壁に当接した状態において、携帯型ゲーム機の正面側下面の位置は、前面突起１８の頂点位置よりも高くなる。したがって、プレーヤは、この状態で、携帯型ゲーム機を正面方向（図１３において矢印Ｅ方向）に引き寄せることにより、携帯型ゲーム機の外部拡張コネクタと、充電スタンド１０のコネクタ本体５０との連結を解除させることができ、充電コネクタ１０から携帯型ゲーム機を取り外すことができる。
【００４３】
携帯型ゲーム機が取り外されると、回動部５２は、弾性部材５８の復元力により、コネクタ本体５０が本体部１２の上面１１とほぼ平行となるような位置に復元する。
【００４４】
さらに、本実施の形態においては、図１０に示すように、回動部５２は、矢印Ｂ方向にも回動可能となっている。携帯型ゲーム機を充電スタンド１０に装着した状態で、落下し或いは外部から強い衝撃が与えられたときに、回動部５２が必要な場合には、矢印Ｂ方向に回動することで、携帯型ゲーム機の外部拡張コネクタの破壊を防止することができる。
【００４５】
矢印Ｂ方向に回動すると、弾性部材５８の突起６０が、接触部材６２の面に素って移動し、徐々に下方に押し込められ、弾性部材５８に復元力が生じる。また、円弧状の回動規制部材６４の下側先端が、支持部５４内に形成された、接触部材と同様の形状の第２の接触部材（図示せず）の端壁に当接すると、回動部５２の回転は規制され、それ以上の角度に傾斜させることができなくなる。
【００４６】
なお、弾性部材５９も、回動部５２の傾斜に伴って、第２の接触部材６２の面に沿って移動し、徐々に上方に押し込められることにより、復元力を持つように構成されるのが望ましい。
【００４７】
本実施の形態によれば、前面突起１８が本体部１２に付勢されつつ、本体１２から離間するようにスライドする。したがって、プレーヤは、携帯型ゲーム機の正面側隅面を前面突起１８の内面に当接させることで、特に、外部拡張コネクタと充電スタンド１０のコネクタ本体５０との位置あわせをすることなく、携帯型ゲーム機を充電スタンド１０に装着することができる。
【００４８】
また、取り外しも、携帯型ゲーム機の正面側を引き上げて、引き抜くだけでよい。このときに、充電スタント１０のコネクタ部２６の回動部５２が回動して、携帯型ゲーム機の外部拡張コネクタの破壊を防止する。
【００４９】
また、本実施の形態によれば、充電スタンド１０に配置された基板にて、電力供給用の信号線を電源コネクタと接続し、他の用途の信号線（たとえば、音声信号線）は、当該他の用途に応じた端子（たとえば、ヘッドフォン端子）に接続する。これにより、充電中であっても、他の用途の端子を利用することが可能となる。特に、外部拡張コネクタの数を削減するために、単一のコネクタを複数用途に利用することがある。このような場合にも、それぞれの用途の端子やコネクタを設けておくことで、同時に使用することが可能となる。
【００５０】
本発明は、以上の実施の形態に限定されることなく、特許請求の範囲に記載された発明の範囲内で、種々の変更が可能であり、それらも本発明の範囲内に包含されるものであることは言うまでもない。
【００５１】
たとえば、前記実施の形態においては、前面突起１８および移動機構３２が、正面方向にスライドし、かつ、移動機構３２のフレーム３４において、第１のアーム３６から垂直方向に形成された第２のアーム３６の弾性を利用した復元力により、本体部１２から突出した前面突起１８を、背面方向の元の位置に戻しているが、このような構成に限定されるものではなく、第１のアームの背面、或いは、連結部の背面にばねを配置し、ばねの引張力により、前面突起１８を元の位置に戻しても良い。
【００５２】
また、前記実施の形態においては、回動部５２が、突起５６を軸に回動して、携帯型ゲーム機の取り外しの際や、外部から衝撃を受けた際に、携帯型ゲーム機の外部拡張コネクタが破壊しないように構成している。また、弾性部材５８の復元力により、コネクタ本体５０が、本体部１２の上面１１とほぼ平行をなし、外部拡張コネクタと適切に連結できるようになっている。しかしながら、このような構成に限定されるものではなく、以下のような構成を採用しても良い。
【００５３】
他の例においては、図１４に示すように、コネクタ部１００は、支持部１０２に、回動部１０４が、浮遊した状態で保持されている。この例では、回動部１０４内にコネクタ本体（図示せず）が収容される。支持部１０２は、支持台１０６を有し、支持台１０２の正面端および背面端に、それぞれ、直立した支持柱１０８、１０８および支持柱の上端を連結する連結部１１０が形成される。
【００５４】
正面端の支持柱と背面端の支持柱のそれぞれの中央部を連結するように弾性部材１１２が配置される。弾性部材１１２のほぼ中央には回動部１０４との接続部１０８が設けられる。したがって、回動部１０４は、両側面にて接続部１０８を介して支持部１０２に支持され、その底面と支持台１０６の上面との間に一定の間隔が設けられるようになっている。このように構成されたコネクタ部１００は、弾性部材１１２の弾性により、正面／背面方向（図１４の矢印Ｅ参照）に移動可能であるとともに、接続部１０８を支点として回動することもできる（図１４の矢印Ｆ参照）。また、弾性部材の復元力により、正面／背面方向および回動方向の回動の双方について、回動部１０４（コネクタ本体）が元の位置に復帰できる。
【００５５】
上記例では、接続部１０８のねじれにより回動部１０４が回動できるようになっているが、これに限定されず、接続部が軸をなし、これにより、揺動部が回動できるような構成を採用しても良い。
【００５６】
無論、他の機構を採用して、ある点を支点とし、或いは、ある線を軸として回動可能とし、これに加えて、正面／背面方向に移動可能であるように構成しても良い。この場合にも、回動させ或いは移動させる外部の力が加えられない状態では、コネクタ本体が元の位置に復帰するようになっているのが望ましい。
【００５７】
【発明の効果】
本発明によれば、携帯型ゲーム機の外部拡張コネクタの損傷の可能性を小さくし、また、プレーヤによるコネクタの抜き差しの手間を省くことができる充電用スタンドを提供することが可能となる。
また、本発明によれば、複数用途の外部拡張コネクタを、同時に複数用途に利用できるような充電用スタンドを提供することが可能となる。
【図面の簡単な説明】
【図１】図１は、本発明の実施の形態にかかる充電スタンドの外観を示す正面斜視図である。
【図２】図２は、本発明の実施の形態にかかる充電スタンドの外観を示す背面斜視図である。
【図３】図３は、本実施の形態にかかる充電スタンドの平面図である。
【図４】図４は、本実施の形態にかかる充電スタンドの底面図である。
【図５】図５は、本実施の形態にかかる充電スタンドの側面図である。
【図６】図６は、前面突起を正面／背面方向に移動させる移動機構をより詳細に示す図である。
【図７】図７は、接続部のコネクタ部の構造をより詳細に示す部分断面図である。
【図８】図８は、前面突起の正面／背面方向への移動を説明するための図である。
【図９】図９は、コネクタ部の回動部の回動を説明するための図である。
【図１０】図１０は、コネクタ部の回動部の回動を説明するための図である。
【図１１】図１１は、本実施の形態にかかる充電スタンドへの携帯型ゲーム機の装着を説明するための図である。
【図１２】図１２は、本実施の形態にかかる充電スタンドに携帯型ゲーム機を装着して、携帯型ゲーム機を利用する状態を説明するための図である。
【図１３】図１３は、本実施の形態にかかる充電スタンドからの携帯型ゲーム機の取り外しを説明するための図である。
【図１４】図１４は、本発明にかかるコネクタ部の他の例を示す図である。
【符号の説明】
１０    充電スタンド
１２    本体部
１４    支持部
１６    側面突起
１８    前面突起
２２    支持台
２４    接続部
２６    コネクタ部
３２    移動機構
５０    コネクタ本体
５２    回動部
【図１】
2004313449.tif 000003
【図２】
2004313449.tif 000004
【図３】
2004313449.tif 000005
【図４】
2004313449.tif 000006
【図５】
2004313449.tif 000007
【図６】
2004313449.tif 000008
【図７】
2004313449.tif 000009
【図８】
2004313449.tif 000010
【図９】
2004313449.tif 000011
【図１０】
2004313449.tif 000012
【図１１】
2004313449.tif 000013
【図１２】
2004313449.tif 000014
【図１３】
2004313449.tif 000015
【図１４】
2004313449.tif 000016